(57)【特許請求の範囲】
【請求項１】
水栓蛇口に直結される原水流入口と、当該原水流入口から導入された原水を吐出する原水吐出口と、前記原水流入口から導入された原水を処理するための浄水ユニットと、当該浄水ユニットで処理された浄水を吐出する浄水吐出口と、前記原水吐出口からの吐出と前記浄水吐出口からの吐出とを切換え可能な切換部と、を備える水処理装置であって、
前記浄水吐出口に設けられた装着部に着脱自在に装着され、ホースが着脱自在に接続される接続継手と、当該接続継手を取り外した状態で前記装着部を覆うように着脱自在に装着されるカバーと、を有し、
前記浄水吐出口の装着部と前記接続継手との着脱構造が、前記接続継手を前記浄水吐出口を中心として一方向に回転させることで装着され、他方向に回転させることで取り外される回転着脱構造であり、
前記浄水吐出口の装着部に装着された接続継手を、前記ホースが接続された状態で他方向に回転させた際に、前記接続継手の位置が前記浄水吐出口の装着部から取り外し可能な位置となる前に前記ホースが前記浄水ユニットと干渉して前記接続継手の他方向への回転が抑制されるように、当該浄水ユニットを配置したことを特徴とする水処理装置。
【請求項２】
前記接続継手に接続されたホースが電解水生成装置に接続されていることを特徴とする請求項１に記載の水処理装置。
【発明の詳細な説明】
【技術分野】
【０００１】
本発明は、水処理装置に関する。
【背景技術】
【０００２】
従来、水処理装置として、水道の蛇口に直接装着するようにしたものが知られている（例えば、特許文献１参照）。
【０００３】
この特許文献１の水処理装置は、水道水をそのままストレート水やシャワー水として供給する原水吐出口と、内蔵したろ過カートリッジで水道水をろ過して浄水として供給する浄水吐出口とを備えている。そして、原水吐出口からの吐出と浄水吐出口からの吐出とが切換部によって切り換えられるようになっている。
【０００４】
このような水処理装置を用いることで、水道水に含まれる濁りや塩素成分、化学物質等がろ過カートリッジによって除去された浄水を飲用することができる。
【先行技術文献】
【特許文献】
【０００５】
【特許文献１】特許第３３７９５２８号公報
【発明の概要】
【発明が解決しようとする課題】
【０００６】
ところで、近年では、水を電解処理することで生成されるアルカリイオン水を飲用水として用いようとする傾向にあるが、水を電解処理する電解装置は、ある程度の容量を必要とする電極室や電極板等を内蔵する必要があるため大型の装置になっている。そのため、水道の蛇口に直接装着する水処理装置に電解装置を内蔵させると、水処理装置自体が著しく大型化してしまい、蛇口に直接装着する装置として用いるのに適さないものになってしまう。
【０００７】
そこで、電解装置等の他の水処理機器を蛇口から離れた場所に設置し、その水処理機器と水処理装置の浄水吐出口とをホースで繋いで、浄水吐出口から吐出される浄水を他の水処理機器に供給することが考えられる。しかしながら、上記特許文献１に開示された水処理装置では、浄水吐出口がホースを接続できる構造にはなっていない。
【０００８】
そこで、本発明は、原水と浄水とを切換えて吐出することができる上、浄水を他の水処理機器に容易に供給することができる水処理装置を得ることを目的とする。
【課題を解決するための手段】
【０００９】
本発明の第１の特徴は、水栓蛇口に直結される原水流入口と、当該原水流入口から導入された原水を吐出する原水吐出口と、前記原水流入口から導入された原水を処理するための浄水ユニットと、当該浄水ユニットで処理された浄水を吐出する浄水吐出口と、前記原水吐出口からの吐出と前記浄水吐出口からの吐出とを切換え可能な切換部と、を備える水処理装置であって、前記浄水吐出口に設けられた装着部に着脱自在に装着され、ホースが着脱自在に接続される接続継手と、当該接続継手を取り外した状態で前記装着部を覆うように着脱自在に装着されるカバーと、を有し、前記浄水吐出口の装着部と前記接続継手との着脱構造が、前記接続継手を前記浄水吐出口を中心として一方向に回転させることで装着され、他方向に回転させることで取り外される回転着脱構造であり、前記浄水吐出口の装着部に装着された接続継手を、前記ホースが接続された状態で他方向に回転させた際に、前記接続継手の位置が前記浄水吐出口の装着部から取り外し可能な位置となる前に前記ホースが前記浄水ユニットと干渉して前記接続継手の他方向への回転が抑制されるように、当該浄水ユニットを配置したことを要旨とする。
【００１１】
本発明の第２の特徴は、前記接続継手に接続されたホースが電解水生成装置に接続されていることを要旨とする。
【発明の効果】
【００１２】
本発明によれば、浄水吐出口に、ホースが接続される接続継手を着脱自在に装着する装着部を設けている。そのため、接続継手に接続したホースを介して浄水吐出口を他の水処理機器に容易に繋ぐことができるようになる。その結果、原水と浄水とを切換えて吐出することができる上、浄水を他の水処理機器に容易に供給することができる水処理装置を得ることができる。
【００１３】
また、接続継手を取り外したときに装着部を覆うカバーを設けたため、他の水処理機器を繋ぐ必要の無い場合等、浄水吐出口に接続継手を装着していないときに、装着部に塵埃や雑菌が付着してしまうのを抑制することができる。
【図面の簡単な説明】
【００１４】
【図１】本発明の第１実施形態にかかる水処理装置を示す斜視図である。
【図２】本発明の第１実施形態にかかる水処理装置を示す図であって、（ａ）は浄水吐出口に接続継手を装着した状態を示す斜視図、（ｂ）は浄水吐出口にカバーを装着した状態を示す斜視図である。
【図３】本発明の第１実施形態にかかる水処理装置に用いられる接続継手を示す図であって、（ａ）は平面図、（ｂ）は図３（ａ）のI−I線断面図、（ｃ）は斜視図である。
【図４】本発明の第１実施形態にかかる水処理装置に用いられる接続継手の装着部分を示す図であって、（ａ）は図２（ａ）のII−II線断面図、（ｂ）は図２（ａ）のIII−III線断面図である。
【図５】本発明の第１実施形態にかかる水処理装置の浄水吐出口に接続継手を装着しようとしている状態を示す斜視図である。
【図６】本発明の第１実施形態にかかる水処理装置の浄水吐出口に接続継手を装着する動きを説明する底面図である。
【図７】本発明の第１実施形態にかかる水処理装置の浄水吐出口に装着した接続継手にホースが接続されている場合の挙動を示す底面図である。
【図８】本発明の第１実施形態にかかる水処理装置に電解水生成装置を接続した状態を示す斜視図である。
【図９】本発明の第２実施形態にかかる水処理装置に用いられる接続継手の装着部分を示す図であって、（ａ）は図４（ａ）に対応した断面図、（ｂ）は図４（ｂ）に対応した断面図である。
【発明を実施するための形態】
【００１５】
以下、本発明の実施形態について図面を参照しつつ詳細に説明する。なお、以下の複数の実施形態には、同様の構成要素が含まれている。よって、以下では、それら同様の構成要素には共通の符号を付与するとともに、重複する説明を省略する。
【００１６】
（第１実施形態）
本実施形態にかかる水処理装置１は、図１に示すように、原水流入口２と原水吐出口３と浄水吐出口４とを備えている。
【００１７】
原水流入口２は、水道水や井戸水等の原水を引き込む水栓蛇口Ｆ（図８参照）に直結され、この水栓蛇口Ｆから吐出される原水が、矢印ａに示すように、原水流入口２から水処理装置１の装置本体１１内に導入されるようになっている。原水流入口２の内周には、雌ねじ部２１が形成されており、この雌ねじ部２１が水栓蛇口Ｆの流出口外周に形成した雄ねじ部に螺着されるようになっている。そして、雌ねじ部２１を水栓蛇口Ｆの流出口外周に形成した雄ねじ部に螺着させることで、水処理装置１全体が水栓蛇口Ｆに取り付けられる。
【００１８】
原水吐出口３からは、原水流入口２から装置本体部１１内に導入された原水が、矢印ｂに示すように、そのまま吐出されるようになっている。また、浄水吐出口４からは、原水流入口２から導入された原水が浄水ユニット６に導入され、浄水ユニット６によってろ過された浄水が吐出されるようになっている。
【００１９】
また、水処理装置１は、原水吐出口３からの吐出と浄水吐出口４からの吐出とを切換え可能な切換部としての水路切換レバー５を備えている。
【００２０】
そして、水路切換レバー５を操作することで、原水吐出口３から原水を吐出させる経路と、浄水吐出口４から浄水を吐出させる経路のいずれか一方の経路を選択できるようになっている。
【００２１】
水処理装置１には、上述したように、原水流入口２から導入された原水をろ過するための浄水ユニット６が設けられている。この浄水ユニット６は、装置本体部１１に着脱自在に装着されるケーシング６１と、ケーシング６１内に収納されるろ過カートリッジ６２とを備えている。
【００２２】
ろ過カートリッジ６２の内部には、活性炭や中空糸膜等の図示省略したろ過材が装填されており、ケーシング６１の装着側の周縁部に設けた原水取入口６１ａから矢印ｃに示すように導入した原水を、矢印ｄに示すように案内してろ過するようになっている。そして、ろ過カートリッジ６２を通過してろ過された浄水は、矢印ｅに示すように、ケーシング６２の中央部に設けた浄水流出口６１ｂから装置本体部１１内に戻り、浄水吐出口４から吐出されるようになっている（矢印ｆ参照）。
【００２３】
ここで、本実施形態では、図２（ａ）に示すように、浄水吐出口４に、ホース１００を接続するＬ字状の接続継手７を着脱自在に装着できるようにしている。また、接続継手７を取り外した状態では、浄水吐出口４にカバー８を着脱自在に装着できるようにしている。
【００２４】
すなわち、図４に示すように、浄水吐出口４には、接続継手７を着脱自在に装着するための装着部４１を設けており、この装着部４１に、接続継手７およびカバー８のいずれか一方が装着されるようにしている。そして、この接続継手７には、装着部４１に装着される被装着部７１が設けられている。また、図示省略したが、カバー８にも被装着部７１と同様の構造をした被装着部が設けられている。なお、カバー８は、両端が開放された筒状に形成されており、その内周部が被装着部となって装着部４１の外周を覆うように装着されるものである。すなわち、カバー８を装着部４１に装着した状態で、浄水吐出口４から浄水を吐出させることができるようになっている。
【００２５】
また、本実施形態では、浄水吐出口４の装着部４１と接続継手７との着脱構造を、接続継手７を浄水吐出口４を中心として一方向に回転させることで装着され、他方向に回転させることで取り外される回転着脱構造としている。
【００２６】
具体的には、図５に示すように、装着部４１の外周には周方向に延びる所定長さの係止突部４２が突設されている。この係止突部４２は、図４（ｂ）に示すように、浄水吐出口４の中心を通る対向位置に一対設けられている。
【００２７】
一方、接続継手７は、図３（ａ）〜（ｃ）に示すように、基端部に浄水吐出口４への嵌合部７２が設けられており、嵌合部７２の内周部に上述の被装着部７１が設けられている。この被装着部７１は、装着部４１の係止突部４２を浄水吐出口４の中心軸Ｃ１方向に沿って取り込む一対の誘導凹部７３と、それぞれの誘導凹部７３の下部から一方の回転方向側に誘導凹部７３と連続するように形成された係合凹部７４とを有している。そして、この係合凹部７４に係止突部４２を係合させることで、浄水吐出口４の装着部４１と接続継手７とが装着される。このように、本実施形態では、被装着部７１が、誘導凹部７３と係止凹部７４とで略Ｌ字状を成すように形成されている。なお、本実施形態では、係合凹部７４を、嵌合部７２の外側に連通する開口部として形成している。
【００２８】
次に、接続継手７を浄水吐出口４に装着する手順について説明する。
【００２９】
まず、底面視で、係止突部４２と誘導凹部７３とが一致するように、浄水吐出口４に対して接続継手７を所定の回転位置に配置する。そして、接続継手７の嵌合部７２を装着部４１に押し込むことで、係止突部４２が誘導凹部７３内に取り込まれて初期セット位置となる。本実施形態では、この初期セット位置を、接続継手７のＬ字状先端部の中心軸Ｃ２が浄水ユニット６の中心軸Ｃ３と略平行となる位置に設定している（図６のＡ位置）。
【００３０】
そして、初期セット位置から接続継手７を図６の矢印αで示す一方向に回転させることで、係止突部４２が係合凹部７４に徐々に係合されていき、略９０度回転させると接続継手７の装着が完了する。なお、接続継手７の装着完了位置（図６のＢ位置）では、係止突部４２が係合凹部７４の終端に突き当たって、それ以上回転できないようになっている。
【００３１】
他方、接続継手７を取り外す際には、装着時とは逆の動作を行って、接続継手７をＢ位置からＡ位置へと他方向に回転させ、Ａ位置で接続継手７を浄水吐出口４から引き抜くことで取り外すことができる。なお、接続継手７をＡ位置とＢ位置の間で回転させて装着または取り外しする際、接続継手７が浄水ユニット６のケーシング６１に干渉しないようにしている。すなわち、接続継手７は、ホース１００が接続されていない状態では、浄水ユニット６を装置本体部１１に装着した状態であっても、浄水吐出口４の装着部４１に着脱（装着および取り外し）させることができるようになっている。
【００３２】
また、接続継手７の嵌合部７２からＬ字状に突出する先端部には、図４（ａ）に示すように、ホース１００の取付端部１００ａを嵌着するためにやや先細りとなった挿入部７５が形成されている。さらに、挿入部７５の基部側には、ホース１００の固定ナット１０１をねじ込むための雄ねじ部７６が設けられている。このように、本実施形態では、接続継手７は、ホース１００を簡単に接続することができる構造となっており、このホース１００を介して水処理装置１を他の水処理機器に容易に繋げることができるようになっている。
【００３３】
ところで、浄水吐出口４とカバー８との間の回転着脱構造も浄水吐出口４と接続継手７との間の回転着脱構造と同様の構造となる。すなわち、図示省略するが、カバー８の内周部に設けられる被装着部も、誘導凹部７３および係合凹部７４を設けた嵌合部７２の被装着部７１と同様の構造をしている。そして、このカバー８は、接続継手７を取り外した状態で、浄水吐出口４の装着部４１に着脱（装着および取り外し）できるようになっている。
【００３４】
また、浄水吐出口４は、図４に示すように、装着部４１の先端部に周溝４３が形成されており、その周溝４３にシールリングＳが嵌着されている。そして、このシールリングＳによって浄水吐出口４と接続継手７の嵌合部７２またはカバー８との間を水密に封止できるようになっている。したがって、接続継手７を取り外して装着部４１にカバー８を装着した状態では、浄水吐出口４の外周、つまり、シールリングＳを含めた装着部４１の外周に塵埃や雑菌が付着するのを予防できるようになっている。
【００３５】
ところで、本実施形態では、ホース１００に繋げる他の水処理機器としてアルカリイオン整水器（電解水生成装置）２００を用いている。アルカリイオン整水器（電解水生成装置）２００は、図８に示すように、ホース１００の基端部１００ａを接続継手７の先端部に接続し、ホース１００の先端部１００ｂをアルカリイオン整水器２００に接続することで、ホース１００を介して水処理装置１の浄水吐出口４に接続されている。このホース１００としては、フレキシブルホースを用いるのが好ましい。このアルカリイオン整水器２００は、水栓蛇口Ｆから離れた場所、例えば流し台等に設置しておくことができる。
【００３６】
アルカリイオン整水器２００は、ケース本体２０１に図示省略した電解槽が格納されており、この電解槽にホース１００から供給される浄水を導入することで、浄水を電気分解してアルカリイオン水と酸性水とを生成するようになっている。そして、アルカリイオン水は本体ケース２０１の上部に設けた吐出ホース２０２から取り出して飲用等に用い、酸性水は本体ケース２０１の下部に設けた排水ホース２０３から例えばシンク等に排出されるようになっている。なお、酸性水を廃棄せず他の目的に使うことも可能である。
【００３７】
ところで、接続継手７とアルカリイオン整水器２００とをホース１００を介して接続した状態で、水処理装置１が装着された水栓蛇口Ｆを使用者が左右に回転させた場合や、ホース１００そのものを左右に回転させた場合に、接続継手７がアルカリイオン整水器２００に接続したホース１００に引っ張られて、当該接続継手７が浄水吐出口４に対して回転してしまうことがある。このとき、接続継手７が、装着部４１に装着する時の回転方向（一方向）とは逆方向（他方向）に回転可能であると、浄水吐出口４から接続継手７が外れてしまうおそれがある。
【００３８】
そこで、接続継手７が他方向に所定量以上回転した際に、ホース１００と浄水ユニット６とが相互に干渉するように、浄水ユニット６を配置するのが好ましい。
【００３９】
本実施形態では、浄水吐出口４の装着部４１に装着された接続継手７を、ホース１００が接続された状態で他方向に回転させた際に、接続継手７の位置が浄水吐出口４の装着部４１から取り外し可能な位置となる前（接続継手７が図６のＡ位置となる前）にホース１００が浄水ユニット６と干渉するように、当該浄水ユニット６を配置するようにした。
【００４０】
すなわち、図７に示すように、接続継手７にホース１００を接続した状態にあるとき、このホース１００と浄水ユニット６とが、接続継手７が他方向に所定量以上回転しようとすると相互に干渉する位置関係となるようにした。このときの所定量以上の回転は、接続継手７が浄水吐出口４から外れる回転量であり、本実施形態では、図６に示したように、Ｂ位置からＡ位置への回転量である。しかしながら、実際上は、接続継手７の外れを防止するためには、係止突部４２と係合凹部７４との係合量をある程度確保しておく必要がある。そのため、本実施形態では、図７に示すように、ホース１００が浄水ユニット６に干渉する時点を、Ｂ位置からＣ位置の間の９０度よりも少ない回転量β（例えば、略３５度）に設定している。
【００４１】
このように、接続継手７が、Ｂ位置からＣ位置まで回転した時点で、ホース１００の固定ナット１０１が浄水ユニット６に干渉することで、接続継手７がそれ以上他方向に回転できなくなり、浄水吐出口４から接続継手７が外れてしまうのを抑制することができる。なお、ホース１００の固定ナット１０１ではなく、ホース１００を浄水ユニット６のケーシング６１にＫ部分で干渉させるようにしてもよい（図７参照）。
【００４２】
次に、かかる構成をした水処理装置１の作用について説明する。
【００４３】
まず、水栓蛇口Ｆの水栓を開弁すると原水が原水流入口２から装置本体１１内に導入される。このとき、水路切換レバー５で原水吐出口３からの吐出または浄水吐出口４からの吐出の一方を選択しておく、若しくは、途中でいずれかが選択されるように水路切換レバー５を操作して切り換えると、選択した吐出口から所望の水を取り出すことができる。すなわち、原水吐出口３からは水栓蛇口Ｆから流出する水道水や井戸水等の原水を取り出すことができ、浄水吐出口４からはろ過カートリッジ６２でろ過した浄水を取り出すことができる。
【００４４】
そして、浄水吐出口４に接続継手７を装着し、当該接続継手７に接続したホース１００を介してアルカリイオン整水器２００を水処理装置１に繋げてある場合には、アルカリイオン整水器２００によってアルカリイオン水を取り出すことができる。
【００４５】
また、アルカリイオン整水器２００を長期に亘って使用しない場合、またはアルカリイオン整水器２００を設置しない場合には、浄水吐出口４から接続継手７を取り外して、その浄水吐出口４にカバー８を装着しておくこととなる。
【００４６】
以上説明したように、本実施形態では、浄水吐出口４に接続継手７を着脱自在に装着する装着部４１を設けている。そして、水処理装置１は、浄水吐出口４に設けられた装着部４１に着脱自在に装着され、ホース１００が着脱自在に接続される接続継手７と、当該接続継手７を取り外した状態で装着部４１を覆うように着脱自在に装着されるカバー８と、を有している。
【００４７】
そのため、接続継手７に接続したホース１００を介して浄水吐出口４を他の水処理機器（本実施形態では、電解水生成装置としてのアルカリイオン整水器２００）に容易に繋ぐことができるようになる。その結果、原水と浄水とを切換えて吐出することができる上、浄水を他の水処理機器に容易に供給することができる水処理装置１を得ることができる。
【００４８】
また、他の水処理機器を繋ぐ必要の無い場合等には、浄水吐出口４から接続継手７を取り外しておくことで、浄水吐出口４を本来の状態に戻しておくことができる。このとき、本実施形態では、装着部４１を覆うカバー８を有するため、接続継手７を取り外した状態でカバー８を装着部４１に装着することができる。このように、カバー８を装着部４１に装着して装着部４１をカバー８で覆うことで、浄水吐出口４に接続継手７を装着していないときに、浄水吐出口４の装着部４１やシールリングＳに塵埃や雑菌が付着してしまうのを抑制することができるようになる。その結果、浄水吐出口４が汚れてしまうのを抑制することができ、浄水吐出口４をより衛生的な状態としておくことが可能となる。
【００４９】
また、本実施形態では、浄水吐出口４の装着部４１を回転着脱構造として、嵌合した接続継手７を浄水吐出口４を中心として一方向に回転して装着し、他方向に回転して取り外すようになっている。一方、接続継手７にホース１００を接続した状態にある時、ホース１００と浄水ユニット６との位置関係が、接続継手７を他方向に所定量以上回転させようとした時に相互に干渉するようになっている。
【００５０】
すなわち、浄水吐出口４の装着部４１に装着された接続継手７を、ホース１００が接続された状態で他方向に回転させた際に、接続継手７の位置が浄水吐出口４の装着部４１から取り外し可能な位置となる前（接続継手７が図６のＡ位置となる前）にホース１００が浄水ユニット６と干渉するように、当該浄水ユニット６を配置している。その結果、使用者が水栓蛇口を左右に回転させた際等に、ホース１００に引っ張られて接続継手７が他方向に回転しようとしても、ホース１００が浄水ユニット６に干渉して、接続継手７のそれ以上の回転が抑制される。そのため、接続継手７が浄水吐出口４の装着部４１から外れてしまうのを抑制することができる。例えば、接続継手７とアルカリイオン整水器２００とをホース１００を介して接続した状態での水処理装置１を使用をしている際中に、接続継手７が浄水吐出口４の装着部４１から外れてしまい、アルカリイオン水の生成ができなくなってしまうのが抑制される。
【００５１】
また、本実施形態によれば、接続継手７に接続されたホース１００をアルカリイオン整水器（電解水生成装置）２００に接続している。その結果、浄水吐出口４から吐出される浄水をアルカリイオン整水器２００で電気分解してアルカリイオン水を生成することができるようになる。このように、接続継手７に接続されたホース１００をアルカリイオン整水器（電解水生成装置）２００に接続することで、原水と浄水だけでなく、アルカリイオン水や酸性水を生成することができるようになる。
【００５２】
また、浄水から最終的にアルカリイオン水を得る場合に、原水から浄水を生成する水処理装置１は、ろ過機能のみを備えていればよくなるので、水処理装置１が大型化してしまうのを抑制でき、水処理装置１の水栓蛇口Ｆへの取り付けが可能となる。一方、アルカリイオン整水器２００には、ろ過機能を備える必要が無くなるため、アルカリイオン整水器２００の小型化を図ることも可能となり、使い勝手の良い水処理装置（水処理装置１およびアルカリイオン整水器２００）を得ることができる。
【００５３】
（第２実施形態）
本実施形態では、図９に示すように、接続継手７の嵌合部７２を浄水吐出口４の内周に嵌合させている点が、上記第１実施形態と主に異なっている。
【００５４】
具体的には、装着部４１Ａが浄水吐出口４の内周に設けられるとともに、被装着部７１Ａが接続継手７の嵌合部７２の外周に設けられており、被装着部７１Ａが装着部４１Ａの内周に係合されるようになっている。
【００５５】
すなわち、本実施形態では、上記第１実施形態とは逆に、被装着部７１Ａに係止突部７７が設けられ、装着部４１Ａに誘導凹部４４および係合凹部４５が設けられている（図９（ａ）、（ｂ）参照）。なお、係止突部７７、誘導凹部４４および係合凹部４５は、上記第１実施形態の係止突部４２、誘導凹部７３および係合凹部７４と同様の機能を有している。
【００５６】
また、本実施形態では、シールリングＳは、接続継手７の嵌合部７２の先端部外周に設けた周溝７８に嵌着され、このシールリングＳによって浄水吐出口４と接続継手７の嵌合部７２との間を水密に封止するようになっている。
【００５７】
以上の本実施形態によっても、上記第１実施形態と同様の作用、効果を奏することができる。
【００５８】
以上、本発明の好適な実施形態について説明したが、本発明は上記実施形態には限定されず、種々の変形が可能である。
【符号の説明】
【００５９】
１  水処理装置
２  原水流入口
３  原水吐出口
４  浄水吐出口
５  水路切換レバー（切換部）
６  浄水ユニット
７  接続継手
８  カバー
４１  浄水吐出口の装着部
１００  ホース
２００  アルカリイオン整水器（電解水生成装置）
Ｆ  水栓蛇口
【図１】
0005942246.tif 000002
【図２】
0005942246.tif 000003
【図３】
0005942246.tif 000004
【図４】
0005942246.tif 000005
【図５】
0005942246.tif 000006
【図６】
0005942246.tif 000007
【図７】
0005942246.tif 000008
【図８】
0005942246.tif 000009
【図９】
0005942246.tif 000010